(57)【特許請求の範囲】
【請求項１】
比例ソレノイドからの入力の増加に伴ってリリーフ設定圧力を連続して最高圧力から最低圧力に制御していく電磁比例型のリリーフ弁において、入口ポートと戻りポートの連通を断続する弁体を備えた弁座体と、弁体を閉じ方向に付勢するリリーフ圧力設定用のばねの基端を支持する押圧体を備えた調整螺体と、弁体に対して開き方向への力を加えるソレノイドを弁ケースに対し弁座体を中間にしてそれぞれ軸方向に並べて配置し、上記押圧体を調整螺体に設けた係止部材との間に摺動可能に配設して調整螺体と押圧体の間を受圧室として形成すると共に、押圧体の基端を調整螺体に螺挿した調整螺杆で支持し、かつ、弁体とソレノイドにおける可動鉄心との間に位置してソレノイドの励磁により弁体を押圧しつつ上記受圧室の連通を戻りポートから入口ポートへの連通に切り換える切換弁を介装したことを特徴とする比例電磁リリーフ弁。
【請求項２】
比例ソレノイドからの入力の増加に伴ってリリーフ設定圧力を連続して最高圧力から最低圧力に制御していく電磁比例型のリリーフ弁において、入口ポートと戻りポートの連通を断続する弁体を備えた弁座体と、弁体を閉じ方向に付勢するリリーフ圧力設定用のばねの基端を支持する調整螺杆を備えた調整螺体と、弁体に対して開き方向への力を加えるソレノイドを弁ケースに対し弁座体を中間にしてそれぞれ軸方向に並べて配置し、当該弁座体を調整螺体とソレノイドとの間に摺動可能に配設して弁座体とソレノイドの間を受圧室として形成すると共に、弁体とソレノイドにおける可動鉄心との間に位置してソレノイドの励磁により弁体を押圧しつつ上記受圧室の連通を戻りポートから入口ポートへの連通に切り換える切換弁を介装したことを特徴とする比例電磁リリーフ弁。
【発明の詳細な説明】
【０００１】
【発明の属する技術分野】
この発明は、比例ソレノイドからの入力に基いてリリーフ設定圧力を最高圧力と最低圧力の間で可変制御することのできる、例えば、鉄道車両の横揺れ制振用ダンパ等への使用に好適な比例電磁リリーフ弁に関する。
【０００２】
【従来の技術】
これまでのところ、この種の比例電磁リリーフ弁としては、予め適用機器への使用条件に応じて所望の最高圧力に設定したリリーフ圧力設定用のばねで弁体を弁座へと押し付け、この閉弁状態に保った弁体に対して比例ソレノイドからの入力をリリーフ圧力設定用のばねと対抗する方向から加えてやる。
【０００３】
このよにうして、比例ソレノイドからの入力の増加に伴い、リリーフ圧力設定用のばねの見掛け上のばね力を低下させてリリーフ設定圧力を最高圧力から最低圧力の間で連続して制御するようにしたものが知られている。
【０００４】
また、上記とは反対に、予め、最低圧力に調整して設定したリリーフ圧力設定用のばねに対しばね力をフォローする側に向って比例ソレノイドからの入力を加え、これらばね力とソレノイドからの入力との合力により弁体を弁座へと押し付けてリリーフ設定圧力を最高圧力に設定する。
【０００５】
そして、この状態の下で比例ソレノイドからの入力を減少させつつ、それに伴い、リリーフ設定圧力を連続して最高圧力から最低圧力に制御するようにしたものも知られている。
【０００６】
【発明が解決しようとする課題】
しかし、これらの比例電磁リリーフ弁にあっては、故障やその他の何等かの理由によって比例ソレノイドがオフ状態になったときに、弁体に対するソレノイドからの入力が零となって、リリーフ圧力設定用のばねのばね力のみにより弁体を弁座へと押し付けて閉弁状態を保つことになる。
【０００７】
そのために、前者の比例電磁リリーフ弁では、そのときのリリーフ設定圧力が予めリリーフ圧力設定用のばねで設定した最高圧力へと戻り、比例電磁リリーフ弁を適用した装置が必要とする最小制御力を越えて最大制御力を発生させてしまうという不都合があった。
【０００８】
また、後者の比例電磁リリーフ弁では、上記した前者の比例電磁リリーフ弁とは逆に、予めリリーフ圧力設定用のばねで設定した最低圧力へと戻ることになるので、場合によっては、装置の性能を充分に発揮し得なくなるという不都合な点を有していた。
【０００９】
したがって、この発明の目的は、比例ソレノイドのオフ時におけるリリーフ設定圧力を、最高圧力よりも低くかつソレノイドからの最大入力で決まる最低圧力よりも高い任意の中間圧力に自由に設定することで、装置の制御力を必要最小限に確保することのできる新規の構成を備えた比例電磁リリーフ弁を提供することである。
【００１０】
【課題を解決するための手段】
上記した目的は、この発明において、比例ソレノイドからの入力の増加に伴ってリリーフ設定圧力を連続して最高圧力から最低圧力に制御していく電磁比例型のリリーフ弁において、入口ポートと戻りポートの連通を断続する弁体を備えた弁座体と、弁体を閉じ方向に付勢するリリーフ圧力設定用のばねの基端を支持する押圧体を備えた調整螺体と、弁体に対して開き方向への力を加えるソレノイドを弁ケースに対し弁座体を中間にしてそれぞれ軸方向に並べて配置し、上記押圧体を調整螺体に設けた係止部材との間に摺動可能に配設して調整螺体と押圧体の間を受圧室として形成すると共に、押圧体の基端を調整螺体に螺挿した調整螺杆で支持し、かつ、弁体とソレノイドにおける可動鉄心との間に位置してソレノイドの励磁により弁体を押圧しつつ上記受圧室の連通を戻りポートから入口ポートへの連通に切り換える切換弁を介装することにより達成される。
【００１１】
すなわち、上記のように構成することによって、リリーフ圧力の最高圧力の調整操作に際しては、先づ、調整螺杆をねじ込んで調整螺体に沿い押圧体を押し進め、当該押圧体の先端を調整螺体に設けた係止部材へと押し付けてやる。
【００１２】
続いて、この状態から今度は、調整螺体を回して調整螺杆と押圧体を伴いつつ進退させ、リリーフ圧力設定用のばねのばね長を変えてばね力を所望の値に設定することによって行われる。
【００１３】
それに対して、比例ソレノイドのオフ時におけるリリーフ圧力の中間圧力の調整操作は、上記の状態から調整螺杆を螺退させてリリーフ圧力設定用のばねのばね長を延ばし、ばね力を所望の値に下げることによって先の最高圧力よりも低くかつソレノイドからの最大入力で決まる最低圧力よりも高い任意のリリーフ設定圧力に設定することで行われる。
【００１４】
一方、この状態からの使用に際し、比例ソレノイドをオンにして微少電流を流すとソレノイドが動作を始めて切換弁を切り換え、当該切換弁を通してソレノイドからの入力を弁体に加えつつ受圧室を戻りポートへの連通から入口ポートへの連通に切り換える。
【００１５】
しかし、このときの微少電流値では、切換弁を通して弁体に加えるソレノイドからの入力が極めて小さく、当該入力は切換弁を切り換えることのみに消費されてしまうので、単に切換弁を切り換えるだけで弁体に力を加えるまでには至らない。
【００１６】
そうとは言っても、切換弁の切り換えによって受圧室には機器からの回路圧力が導かれるので、リリーフ圧力設定用のばねを押し縮めつつ調整螺杆を残して押圧体を押し進め、当該押圧体を調整螺体に設けた係止部材へと押し付ける。
【００１７】
これにより、押圧体と弁座体の位置関係が先に述べたリリーフ設定圧力を最高圧力に設定したときと全く同じとなり、それに伴って、リリーフ圧力設定用のばねのばね長も同じとなることからそのときのリリーフ設定圧力は最高圧力を保持する。
【００１８】
しかも、上記の状態からソレノイドに印加される電流値を増やしていくと、それにほぼ比例して弁体に対するソレノイドからの入力が増大していき、リリーフ設定圧力は、最低圧力へと向って連続的に低下していくことになる。
【００１９】
さらに、作動中において、故障やその他の何等かの理由により比例ソレノイドがオフの状態になったとすると、ソレノイドからの入力が零となって切換弁が元の状態に戻り、受圧室が戻りポートへの連通に切り換わる。
【００２０】
これにより、受圧室に加わっていた入口ポートの回路圧力が断たれて圧力が低下し、押圧体がリリーフ圧力設定用のばねにより押されて調整螺杆へと当接する位置まで後退する。
【００２１】
この状態もまた、押圧体と弁座体も位置関係が先に述べたリリーフ設定圧力を中間圧力に設定したときの状態と全く同じで、リリーフ圧力設定用のばねのばね長も同じとなることから、そのときのリリーフ設定圧力は、最高圧力よりも低くかつソレノイドからの最大入力で決まる最低圧力よりも高い中間圧力となる。
【００２２】
このようにして、通常の作動時にあっては、比例電磁リリーフ弁としての所定の制御を行いながら、しかも、何等かの不具合でソレノイドがオフになったときのリリーフ設定圧力を任意の中間圧力に保って装置が必要とする最小制御力を確保しつつ、装置としての性能を充分に発揮し得なくなるという不都合を除去することができる。
【００２３】
また、前記したこの発明の目的は、比例ソレノイドからの入力の増加に伴ってリリーフ設定圧力を連続して最高圧力から最低圧力に制御していく電磁比例型のリリーフ弁において、入口ポートと戻りポートの連通を断続する弁体を備えた弁座体と、弁体を閉じ方向に付勢するリリーフ圧力設定用のばねの基端を支持する調整螺杆を備えた調整螺体と、弁体に対して開き方向への力を加えるソレノイドを弁ケースに対し弁座体を中間にしてそれぞれ軸方向に並べて配置し、当該弁座体を調整螺体とソレノイドとの間に摺動可能に配設して弁座体とソレノイドの間を受圧室として形成すると共に、弁体とソレノイドにおける可動鉄心との間に位置してソレノイドの励磁により弁体を押圧しつつ上記受圧室の連通を戻りポートから入口ポートへの連通に切り換える切換弁を介装することによっても達成することができる。
【００２４】
何となれば、上記の構成によっても、リリーフ圧力設定操作時における最高圧力は、調整螺体をねじ込んで弁座体を押し進めつつソレノイドへと当接する最後退位置まで押し込み、この状態から調整螺杆を回してリリーフ圧力設定用のばねのばね長を変え、ばね力を所望の値にすることによって所定の最高圧力に設定される。
【００２５】
一方、比例ソレノイドのオフ時におけるリリーフ設定圧力の中間圧力は、上記状態から調整螺杆を伴いつつ調整螺体を螺退させてリリーフ圧力設定用のばねのばね長を延ばし、ばね力を所望の値に下げることによって先の最高圧力よりも低くかつソレノイドからの最大入力で決まる最低圧力よりも高い任意のリリーフ設定圧力に設定される。
【００２６】
そして、この状態からの使用に際し、比例ソレノイドをオンにして微少電流を流してやると、ソレノイドが動作を始めて切換弁を切り換え、当該切換弁を通してソレノイドからの入力を弁体に加えつつ受圧室を戻りポートへの連通から入口ポートへの連通に切り換える。
【００２７】
これにより、受圧室には、入口ポートからの回路圧力が導かれることになるのでリリーフ圧力設定用のばねを押し縮めつつ弁座体を押し進め、当該弁座体を調整螺体に押し付ける。
【００２８】
この状態は、調整螺体と弁座体の位置関係が先に述べたリリーフ設定圧力を最高圧力に設定したときの状態と全く同じで、リリーフ圧力設定用のばねのばね長も同じとなることから、そのときのリリーフ設定圧力は最高圧力となる。
【００２９】
しかも、この状態からソレノイドに印加される電流値を増やしていくと、それにほぼ比例して弁体に対するソレノイドからの入力が増大していき、リリーフ設定圧力は、最低圧力へと向って連続的に低下していくことになる。
【００３０】
それに対して、上記の作動中に故障やその他の何等かの理由によって比例ソレノイドがオフの状態になったとすると、切換弁が元の状態に切り換わって受圧室が戻りポートへと連通する。
【００３１】
それに伴い、受圧室に加わっていた入口ポートからの回路圧力が断たれて圧力が低下することから、弁座体が弁体を伴いつつリリーフ圧力設定用のばねにより押されて最後退位置まで移動する。
【００３２】
この状態もまた、調整螺体と弁座体の位置関係が先に述べたリリーフ設定圧力を中間圧力に設定したときの状態と全く同じで、リリーフ圧力設定用のばねのばね長も同じとなることから、そのときのリリーフ設定圧力は最高圧力よりも低くかつソレノイドからの最大入力で決まる最低圧力よりも高い中間圧力となる。
【００３３】
このようにして、通常の作動時にあっては、比例電磁リリーフ弁としての所定の制御を行いながら、しかも、何等かの不具合でソレノイドがオフになったときのリリーフ設定圧力を任意の中間圧力に保って装置が必要とする最小制御力を確保しつつ、装置としての性能を充分に発揮し得なくなるという不都合を除去することができるからである。
【００３４】
【発明の実施の形態】
以下、明細書に添付した図面に基いてこの発明の実施の形態を説明していくことにするが、これらの図面は、何れも比例ソレノイドをオフに保ち、かつ、各リリーフ圧力を設定する以前の状態をもって示してある。
【００３５】
図１において、この発明の実施の形態である比例電磁リリーフ弁１は、軸方向に並べて三つの環状溝２，３，４とこれら環状溝３，４との間に環状突起５を形成した貫通ボアー６を有する弁ケース７で外郭部分を形作っている。
【００３６】
ボアー６の一端開口部は、送りねじ８を介して進退自在に螺挿した調整螺体９によって閉じられており、しかも、当該調整螺体９に環状溝２を挟んで介装したシール１０，１１で油密状態を保っている。
【００３７】
調整螺体９の内部には、内方端から途中までに亙って太径の穴１２が形成してあり、外部から調整螺体９を貫通してこの穴１２内へと向いシール１３を介装して油密状態を保ちつつ調整螺杆１４を螺挿してある。
【００３８】
調整螺体９と調整螺杆１４は、それぞれ独立した止めナット１５，１６を備えており、これら止めナット１５，１６で弁ケース７と調整螺体９の間および調整螺体９と調整螺杆１４の間を任意の相対位置関係で自由にロックし得るようにしている。
【００３９】
調整螺体９における穴１２の内部には、押圧体１７を摺動自在に嵌挿して基端部分に受圧室１８を区画し、しかも、出口部分には、環状の係止部材１９を螺着して上記した調整螺杆１４の先端と協同しつつ押圧体１７の摺動範囲を制限するようにしてある。
【００４０】
それに対して、ボアー６の他端開口部からは、弁座体２０と端蓋２１を両者の間にシール５６を介装して順次に軸方向へと並べて挿入し、この端蓋２１をシール２２で油密状態に保ちつつねじ込んで取り付けることにより、ボアー６に設けた環状突起５と端蓋２１とで弁座体２０を挟んで固定して配置してある。
【００４１】
なお、この実施の形態の場合、弁座体２０は、先端側に軸方向へと並べて連設した制限筒２３を備えており、端蓋２１でこの制限筒２３の基端部分をボアー６の環状突起５に押し付けて固定している。
【００４２】
これにより、弁座体２０と制限筒２３との間に介装したシール２４をボアー６の内壁面に押し付け、当該シール２４で弁座体２０とボアー６の内壁面との間を油密状態に保ちつつ、制限筒２３の先端を上記した調整螺体９と対向させて調整螺体９の最大螺入位置を制限するようにしてある。
【００４３】
弁座体２０は、中心部に位置する軸方向への貫通孔２５とそれに並行する貫通油路２６とを備え、貫通孔２５の内方端から弁体２７のガイド部２８を摺動自在に挿入することによって弁体２７を支持している。
【００４４】
弁体２７におけるガイド部２８の外周面には、ラビリンス溝２９を設けて貫通孔２５との間をシールすると共に、弁体２７と押圧体１７との間にリリーフ圧力設定用のばね３０を介装し、このリリーフ圧力設定用のばね３０で弁体２７を弁座体２０へと押し付けることにより、ガイド部２８と反対側の貫通孔２５の内方端を閉じている。
【００４５】
上記貫通孔２５は、弁座体２０に設けた油孔３１を通して環状溝４から弁ケース７に設けた回路圧力導入用の入口ポート３２に通じ、かつ、リリーフ圧力設定用のばね３０に抗して弁体２７を押し開くことで、制限筒２３に設けた油孔３３から弁ケース７側の環状溝３を通して戻りポート３４へと通じるようになっている。
【００４６】
また、上記と並行して、入口ポート３２へと通じる環状溝４は、弁ケース７に設けた油路３５を通して弁ケース７と端蓋２１との間に形成した環状油路３６にも通じ、当該環状油路３６から端蓋２１の外周面に設けた環状溝３７と径方向に延びる油路３８を通して端蓋２１の中心部に軸方向へと向けて設けた貫通孔３９に連通している。
【００４７】
さらに、上記した貫通孔３９は、前記した弁座体２０の貫通油路２６と制限筒２３の油孔３３および弁ケース７の環状溝３を通して戻りポート３４に通じ、かつ、端蓋２１にシール４０で油路３８と隔離して設けた油路４１と環状溝４２から弁ケース７に設けた連絡油路４３を通して環状溝２から押圧体１７の背面側にある受圧室１８へも通じている。
【００４８】
一方、端蓋２１の外方端には、シール４４により油密状態を保ってソレノイド４５を螺着し、これら端蓋２１とソレノイド４５とで比例型のソレノイドを構成すると共に、この比例型のソレノイド４５の可動鉄心４６と前記した弁体２７のガイド部２８との間に所定の切換隙間４７を存して端蓋２１の貫通孔３９の内部に切換弁４８を納めている。
【００４９】
上記切換弁４８は、ソレノイド４５のオフ時において、端蓋２１との間に介装したばね４９により端蓋２１の油路４１を弁座体２０の貫通油路２６から制限筒２３の油孔３３および弁ケース７の環状溝３を通して戻りポート３４へと連通する後退位置にオフセットされている。
【００５０】
そして、ソレノイド４５の励磁に伴い可動鉄心４６で切換弁４８をばね４９に抗して押し進め、それまで戻りポート３４に連通していた油路４１を油路３８へと連通して、押圧体１７の背面側の受圧室１８を入口ポート３２への連通に切り換える。
【００５１】
しかも、同時に、切換隙間４７を埋めて弁体２７のガイド部２８を押圧しつつ弁体２７に対してソレノイド４５からの入力を開き方向への力として加え、この開き方向への力によりリリーフ圧力設定用のばね３０の見掛け上のばね力を下げて弁体２７のリリーフ設定圧力を高低に制御するように構成したのである。
【００５２】
次に、以上のように構成した図１の実施の形態による比例電磁リリーフ弁１の作用について説明する。
【００５３】
この比例電磁リリーフ弁１は、例えば、鉄道車両の横揺れ制振用ダンパやその他の油圧機器等における作動回路の高圧側に弁ケース７の入口ポート３２を連通し、かつ、戻りポート３４を低圧回路やリザーバ等の低圧側へと連通することによって使用される。
【００５４】
ここで今、比例電磁リリーフ弁１におけるリリーフ設定圧力の最高圧力への調整操作は、先づ、調整螺杆１４をねじ込んで調整螺体９に沿い押圧体１７を押し進め、当該押圧体１７の先端を調整螺体９に設けた係止部材１９へと押し付けてやる。
【００５５】
続いて、この状態から今度は、調整螺体９を回して送りねじ８により調整螺杆１４と押圧体１７を伴いつつ進退させ、押圧体１７と弁体２７との間に介装したリリーフ圧力設定用のばね３０のばね長を変えてばね力を所望の値に設定することによって行われる。
【００５６】
それに対して、ソレノイド４５のオフ時におけるリリーフ設定圧力の中間圧力は、上記の状態から調整螺杆１４を螺退させてリリーフ圧力設定用のばね３０のばね長を延ばし、ばね力を所望の値に下げることによって先の最高圧力よりも低くかつソレノイド４５からの最大入力で決まる最低圧力よりも高い任意のリリーフ設定圧力に設定される。
【００５７】
一方、この状態からの使用に際し、ソレノイド４５をオンにして微少電流を流すと、ソレノイド４５が動作を始めて可動鉄心４６で切換弁４８を切り換え、当該切換弁４８を通してソレノイド４５からの入力を弁体２７のガイド部２８に加えつつ、油路３８，４１を連通して受圧室１８を戻りポート３４への連通から入口ポート３２への連通に切り換える。
【００５８】
しかし、このときの微少電流値では、切換弁４８を通して弁体２７のガイド部２８に加えるソレノイド４５からの入力が極めて小さく、ばね４９に抗して切換弁４８を切り換えることのみに消費されてしまうので、単に切換隙間４７を埋めて切換弁４８を切り換えるだけで弁体２７のガイド部２８に力を加えるまでには至らない。
【００５９】
そうとは言っても、切換弁４８の切り換えによって受圧室１８には入口ポート３２からの回路圧力が当該切換弁４８を通して導かれるので、リリーフ圧力設定用のばね３０を押し縮めつつ調整螺杆１４を残して押圧体１７を押し進め、当該押圧体１７を調整螺体９に設けた係止部材１９へと押し付ける。
【００６０】
これにより、押圧体１７と弁座体２０の位置関係が先に述べたリリーフ設定圧力を最高圧力に設定したときと全く同じとなり、それに伴って、リリーフ圧力設定用のばね３０のばね長も同じとなることからそのときのリリーフ設定圧力は最高圧力を保持する。
【００６１】
しかも、上記した状態からソレノイド４５に印加される電流値を増やしていくと、それにほぼ比例して弁体２７のガイド部２８に対するソレノイド４５からの入力が増大していき、リリーフ設定圧力は、最低圧力へと向って連続的に低下していくことになる。
【００６２】
さらに、作動中において、故障やその他の何等かの理由によりソレノイド４５がオフの状態になったとすると、ソレノイド４５からの入力が零となって切換弁４８がばね４９の復元力で元の状態に戻り、受圧室１８が戻りポート３４への連通に切り換わる。
【００６３】
これにより、受圧室１８に加わっていた入口ポート３２からの回路圧力が断たれて低圧側へと連通し、押圧体１７がリリーフ圧力設定用のばね３０により押されて調整螺杆１４へと当接する位置まで後退する。
【００６４】
この状態もまた、押圧体１７と弁座体２０の位置関係が先に述べたリリーフ設定圧力を中間圧力に設定したときの状態と全く同じで、リリーフ圧力設定用のばね３０のばね長も同一長さとなることから、そのときのリリーフ設定圧力は、最高圧力よりも低くかつソレノイド４５からの最大入力で決まる最低圧力よりも高い中間圧力となる。
【００６５】
このようにして、通常の作動時にあっては、比例電磁リリーフ弁１としての所定の制御を行いながら、しかも、何等かの不具合でソレノイド４５がオフになったときのリリーフ設定圧力を任意の中間圧力に保って装置が必要とする最小制御力を確保しつつ、装置としての性能を充分に発揮し得なくなるという不都合を除去することができるのである。
【００６６】
また、図２は、この発明による別の実施の形態である比例電磁リリーフ弁１ａを示すものであって、その基本的な構成については、先の図１で示した実施の形態の比例電磁リリーフ弁１と軌を一にしているので、ここでは、説明の重複を避けるために異なる部分についてのみ説明することにする。
【００６７】
図２に示す比例電磁リリーフ弁１ａにあっては、先の図１の実施の形態のように、調整螺杆１４とリリーフ圧力設定用のばね３０との間に押圧体１７を介装して受圧室１８とすることなく、リリーフ圧力設定用のばね３０の基端を調整螺杆１４によりばね受け３０ａを介して直に支持している。
【００６８】
その代わりに、端蓋２１ａの先端側に突出部５０を形成して弁座体２０ａの基端側を嵌め込み、この弁座体２０ａのみを調整螺体９ａと端蓋２１ａとの間で弁ケース７のボアー６に対し摺動自在としてソレノイド４５における端蓋２１ａとの間に受圧室１８ａを形成している。
【００６９】
そして、この受圧室１８ａを油路４１ａから切換弁４８ａの内部を通して弁座体２０ａに設けた油路２６ａにより調整螺体９ａの油孔３３ａと弁ケース７の環状溝３とで戻りポート３４に連通すると共に、切換弁４８ａの切り換え動作に伴い油路３８，４１ａを連通して受圧室１８ａを戻りポート３４への連通から入口ポート３２への連通に切り換えるように構成したのである。
【００７０】
このように構成した図２の比例電磁リリーフ弁１ａにあっても、リリーフ設定圧力の最高圧力への調整操作は、先づ、調整螺体９ａをねじ込んで弁座体２０ａをボアー６と端蓋２１ａの突出部５０に沿って押し進め、当該弁座体２０ａの基端をソレノイド４５における端蓋２１ａへと押し付けてやる。
【００７１】
続いて、この状態から今度は、調整螺杆１４を回してリリーフ圧力設定用のばね３０のばね長を変え、当該リリーフ圧力設定用のばね３０のばね力を所望の値に設定することによって行われる。
【００７２】
また、比例ソレノイドのオフ時におけるリリーフ設定圧力の中間圧力は、上記の状態から調整螺杆１４を伴いつつ調整螺体９ａを螺退させてリリーフ圧力設定用のばね３０のばね長を延ばし、ばね力を所望の値に下げることによって先の最高圧力よりも低くかつソレノイドからの最大入力で決まる最低圧力よりも高い任意のリリーフ設定圧力に設定される。
【００７３】
そして、使用に際しソレノイド４５をオンにして微少電流を流してやると、ソレノイド４５が動作を始めて切換弁４８ａを切り換え、当該切換弁４８ａを通してソレノイド４５からの入力を弁体２７のガイド部２８に加えつつ受圧室１８ａを戻りポート３４への連通から入口ポート３２への連通に切り換える。
【００７４】
これにより、受圧室１８ａには、切換弁４８ａを通して入口ポート３２からの回路圧力が導かれることになるので、リリーフ圧力設定用のばね３０を押し縮めつつ弁座体２０ａを押し進め、当該弁座体２０ａを調整螺体９ａの先端に押し付ける。
【００７５】
この状態は、調整螺体９ａと弁座体２０ａの位置関係が先に述べたリリーフ設定圧力を最高圧力に設定したときの状態と全く同じで、リリーフ圧力設定用のばね３０のばね長も同じとなることからそのときのリリーフ設定圧力は最高圧力となる。
【００７６】
しかも、この状態からソレノイドに印加される電流値を増やしていくと、先の図１の実施の形態の場合と同様に、それにほぼ比例して弁体２７のガイド部２８に対するソレノイド４５からの入力が増大していき、リリーフ設定圧力は、最低圧力へと向って連続的に低下していくことになる。
【００７７】
それに対し、上記の作動中に故障やその他の何等かの理由によってソレノイド４５がオフの状態になったとすると、切換弁４８ａが元の状態に切り換わって受圧室１８ａが戻りポート３４へと連通する。
【００７８】
それに伴い、受圧室１８ａに加わっていた入口ポート３２からの回路圧力が断たれて圧力が低下することから、弁座体２０ａが弁体２７を伴いつつリリーフ圧力設定用のばね３０により押され、調整螺体９ａから離れてソレノイド４５の端蓋２１ａに当る最後退位置まで移動する。
【００７９】
ただし、この場合において、当該比例電磁リリーフ弁１ａがリリーフ動作状態にあったとすると、弁体２７が弁座体２０ａから離れて貫通孔２５を開いているるので、リリーフ圧力設定用のばね３０により弁体２７を通して弁座体２０ａを押し戻すことはできない。
【００８０】
そこで、このような状態の生じる恐れがある使用態様の場合にあっては、図２にみられるように、調整螺体９ａと弁座体２０ａの間に戻しばね５５を介装しておき、この戻しばね５５のばね力で弁座体２０ａをソレノイド４５の端蓋２１ａに当る最後退位置まで移動させるようにしてやればよい。
【００８１】
そして、上記したこの状態もまた、調整螺体９ａと弁座体２０ａの位置関係が先に述べたリリーフ設定圧力を中間圧力に設定したときの状態と全く同じで、リリーフ圧力設定用のばね３０のばね長も同じとなることから、そのときのリリーフ設定圧力は、最高圧力よりも低くかつソレノイド４５からの最大入力で決まる最低圧力よりも高い中間圧力となる。
【００８２】
このようにして、通常の作動時にあっては、比例電磁リリーフ弁１ａとしての所定の制御を行いながら、しかも、何等かの不具合によってソレノイド４５がオフになったときのリリーフ設定圧力を任意の中間圧力に保ち、装置が必要とする最小制御力を確保しつつ装置としての性能を充分に発揮し得なくなるという不都合を除去することになる。
【００８３】
なお、これまで述べてきた上記図１および図２の実施の形態にあっては、弁座体２０，２０ａの油路２６，２６ａとソレノイド４５における可動鉄心４６の両側の空間部分を結ぶ油路５１とにダンピングオリフィス５２，５３を介装しているが、これらダンピングオリフィス５２，５３は、比例電磁リリーフ弁１，１ａとしての作動の安定化を図るためのものである。
【００８４】
また、油路３５の途中には、環状油路３６から入口ポート３２に向う作動媒体の逆流を阻止する逆止弁５４を介装してあるが、これら逆止弁５４は、比例電磁リリーフ弁１，１ａの作動中に入口ポート３２側の圧力が戻りポート３４側の圧力まで低下し、それに伴い、受圧室１８，１８ａの圧力が低下してリリーフ設定圧力が中間圧力になってしまうのを防止するためのもである。
【００８５】
したがって、先に述べた図２における戻しばね５５を含めてこれらのダンピングオリフィス５２，５３と逆止弁５４は、比例電磁リリーフ弁１，１ａの使用上の態様からそのような必要がない場合には必ずしも設けてやらなくてもよいことは勿論である。
【００８６】
【発明の効果】
以上のように、請求項１の発明によれば、ソレノイドからの入力の増加に伴ってリリーフ設定圧力を連続して最高圧力から最低圧力に制御していく比例電磁リリーフ弁において、弁ケースに螺挿した調整螺体にリリーフ圧力設定用のばねの基端を支持する押圧体を嵌挿して両者の間に受圧室を形成し、かつ、押圧体を調整螺体に螺挿した調整螺杆で支持しつつ調整螺体に設けた係止部材で移動範囲を制限すると共に、上記受圧室をソレノイドからの入力の有無によって切り換え動作される切換弁を通して入口ポートと戻りポートに選択的に連通するようにしたことにより、通常の作動時にあっては比例電磁リリーフ弁としての所定の制御を行いながら、しかも、何等かの不具合でソレノイドがオフになったときのリリーフ設定圧力を、最高圧力よりも低くかつソレノイドからの最大入力で決まる最低圧力よりも高い任意の中間圧力に保って装置が必要とする最小制御力を確保しつつ、装置としての性能を充分に発揮し得なくなるという不都合を除去することができる。
【００８７】
また、請求項２の発明によれば、上記した請求項１の発明のように、調整螺杆とリリーフ圧力設定用のばねの間に押圧体を介装して受圧室とすることなく、リリーフ圧力設定用のばねの基端を調整螺杆によって直に支持し、かつ、弁座体を調整螺体と端蓋との間で摺動自在にして端蓋との間に受圧室を形成したことにより、受圧室を切換弁に近づけて油路構成を簡素化しつつ加工を容易にして上記した請求項１の発明と同じ効果を発揮することが可能になる。
【図面の簡単な説明】
【図１】この発明による比例電磁リリーフ弁の実施の形態を示す縦断正面図である。
【図２】同じく、この発明による比例電磁リリーフ弁の他の実施の形態を示す縦断正面図である。
【符号の説明】
１，１ａ  比例電磁リリーフ弁
７  弁ケース
９，９ａ  調整螺体
１４  調整螺杆
１７  押圧体
１９  係止部材
２０，２０ａ  弁座体
２１，２１ａ  端蓋
２７  弁体
２８  弁体のガイド部
３０  リリーフ圧力設定用のばね
３２  入口ポート
３４  戻りポート
４５  ソレノイド
４６  ソレノイドの可動鉄心
４８，４８ａ  切換弁
【図１】
0003765654.tif 000002
【図２】
0003765654.tif 000003